(57)【要約】【課題】  ジャングルジムを分解することなく着脱することのできるジャングルジム装飾シートを提供すること。【解決手段】  ジャングルジム装飾シート１の本体1Aは、軟質樹脂を用いて矩形シート状に形成されると共に、その表面には、幼児の興味や関心を引く絵柄３が印刷表示されている。  そして、前記本体1Aの上方には、折り返してリング状に変形可能とされる取付け部1Bが設けられており、該取付け部1Bの端部と基部には着脱自在の係着手段としてのホック2a・2bが設けられている。【選択図】図１
0003108496.tif 000002
【実用新案登録請求の範囲】
【請求項１】
ジャングルジム装飾シート本体1Aは、樹脂または布帛を用いて薄板状に形成されていると共に、その一面または両面に絵柄が印刷表示されており、該本体1Aの上下左右の少なくとも何れか一辺には、ジャングルジムを構成するポールに対して着脱自在とされる取付け部が設けられていることを特徴とするジャングルジム装飾シート。
【請求項２】
請求項１記載のものであって、
前記本体1Aは略矩形に形成されると共に、その上方に取付け部1Bが設けられており、
該取付け部としては、折り返されてリング状に変形が可能な取付け部1Bが設けられており、該取付け部1Bの端部と基部には着脱自在の係着手段が設けられていることを特徴とするジャングルジム装飾シート。
【考案の詳細な説明】
【技術分野】
【０００１】
本考案は、ジャングルジムに取り付けて使用される装飾シートに関するものである。
【背景技術】
【０００２】
従来より、ジャングルジムに取り付けて使用される装飾シートとして、図５に示すように形成された装飾シートが販売されていた。
この装飾シートは、子供に人気のあるキャラクタなどの絵柄が印刷表示される矩形ビニールシートの一端に、このシートの一端を折り返してから、折り返されたシートの端部とシートとが溶着されて環状に形成される取付け部を有するものであった。
【０００３】
【特許文献１】無し
【考案の開示】
【考案が解決しようとする課題】
【０００４】
しかしながら、この装飾シートは、環状に形成された取付け部にジャングルジムのポールを緩挿して取付けられるものであったため、一度ジャングルジムを組み立てた後に装飾シートを取り外す際には、ジャングルジムを分解してから取り外すしか方法がなく、装飾シートの着脱に若干の手間を要する問題があった。
【０００５】
本考案は、以上説明した問題点に鑑みなされたものであり、ジャングルジムを分解することなく容易に着脱することのできるジャングルジム装飾シートを提供することを課題としている。
【課題を解決するための手段】
【０００６】
請求項１記載の考案は、
ジャングルジム装飾シート本体1Aは、樹脂または布帛を用いて薄板状に形成されていると共に、その一面または両面に絵柄が印刷表示されており、該本体1Aの上下左右の少なくとも何れか一辺には、ジャングルジムを構成するポールに対して着脱自在とされる取付け部が設けられていることを特徴とする。
【０００７】
請求項２記載の考案は、請求項１記載のものであって、
前記本体1Aは略矩形に形成されると共に、その上方に取付け部1Bが設けられており、
該取付け部としては、折り返してリング状に変形可能とされる取付け部1Bが設けられており、該取付け部1Bの基部と端部には着脱自在の係着手段2a・2bまたは2d・2eが設けられていることを特徴とする。
【考案の効果】
【０００８】
本考案は以上説明したような形態で実施され、次のような効果を有する。
【０００９】
請求項１記載の考案によれば、
ジャングルジムを構成するポールに対して着脱自在とされる取付け部が、本体1Aの上下左右の辺の少なくとも何れか一辺に設けられているので、ジャングルジムを分解することなく容易にジャングルジム装飾シートを着脱することができる。
【００１０】
請求項２記載の考案によれば、
本体1Aの上方に設けられる取付け部1Bを折り返してリング状とした後に、該取付け部1Bの端部に設けた係着手段2aと基部に設けた係着手段2bを相互に係合させることにより取付け部をリング状に維持することができる。
そのため、ジャングルジム装飾シート１の取付けに際しては、折り返してリング状とされる取付け部1Bの内側にジャングルジムのポールを位置させることにより、ジャングルジム装飾シート１をジャングルジムのポールに取り付けることが可能となる。
また、ジャングルジム装飾シート１の取外しに際しては、折り返してリング状とされた取付け部1Bを開くことにより、ジャングルジムを分解することなく容易にジャングルジム装飾シート１を取り外すことが可能となる。
【考案を実施するための最良の形態】
【００１１】
本考案にかかるジャングルジム装飾シート１は、次のように構成されている。
すなわち、ジャングルジム装飾シート１の本体1Aは、軟質樹脂を用いて矩形シート状に形成され、その表面には、幼児の興味や関心を引く絵柄３が印刷表示されている。
そして、この本体1Aの上方には、折り返してリング状に変形可能とされる取付け部1Bが設けられており、該取付け部1Bの端部と基部には着脱自在の係着手段としてのホック2a・2bが設けられている。
前記ホック2a・2bは着脱自在であるため、ジャングルジム装飾シートを取り付ける際には、折り返してリング状とされる取付け部1Bの内側にジャングルジムのポールを位置させた状態で前記ホック2a・2bを閉じることにより、容易に取り付けることができる。
また、ジャングルジム装飾シート１をポールからを取り外す際には、前記ホック2a・2bを外すことにより、容易に取り外すことができる。
【実施例】
【００１２】
以下、図面に基いて本考案の実施例を詳細に説明する。
はじめに、図１乃至図３を参照して、本考案に係る第一実施例を説明する。
図１は、ジャングルジム装飾シート１の外観を示している。
図２は、本実施例に係るジャングルジム装飾シート１の使用に関し、上図(A)は取付け状態を、下図(B)は取付け後の状態をそれぞれ示している。
図３は、ジャングルジム装飾シート１を取り付けたジャングルジムの外観を示している。
本実施例に係るジャングルジム装飾シート１は、図１に示すように、矩形に形成される一枚の軟質樹脂シートから形成されている。
この樹脂シートの下方には、ジャングルジム装飾シートの本体1Aとしての表示部1Aが形成されており、この部分には、図示されるように子供の興味や関心を引くことのできる絵柄３が印刷表示されている。
そして、前記表示部1Aの上方には、ジャングルジム装飾シート１をジャングルジムのポールに着脱自在とする取付け部1Bが形成されている。この取付け部1Bの端部と基部には着脱自在の係着手段としてのホック2aと2bが３組設けられている。
使用に際しては、図(A)に示すように、取付け部1Bをジムのポールに合せて折り返し、図(B)に示すように取付け部1Bをポールに巻き付けるようにしてホック2aと2bを留めることにより、ジャングルジム装飾シート１をジャングルジムのポールに取り付けることができる。
そして、ジャングルジム装飾シート１をポールから取り外す際には、ホック2aと2bを外すことにより、容易に取り外すことができる。
図３には、ジャングルジム装飾シート１を取り付けたジャングルジムの外観が示されており、本考案に係るジャングルジム装飾シート１はこのようにして使用されるものである。
【００１３】
次に、図４を参照して、本考案に係る第二実施例を、前記第一実施例との相違点のみ簡潔に説明する。
図４は、第二実施例に係るジャングルジム装飾シート１の外観を示している。
図示されるように、本実施例に係るジャングルジム装飾シート１の特徴は、前記実施例におけるホックに替えて面ファスナー2cと2dが設けられている点にあり、このように構成することによっても前記第一実施例と同様の効果を得ることができる。
【００１４】
なお、本考案に係るジャングルジム装飾シート１の他の構成としては、次のように構成することも可能である。
着脱自在の係着手段としては、ホックや面ファスナー以外にも、磁石・粘着テープ・クリップ等を取付け部1Bの基部と端部に配設することにより、ポールに巻き付けるように折り返された取付け部1Bを留めることもできる。
また、ジャングルジム装飾シート１の形状に関しては、矩形以外にも様々な形状に形成可能である。
例えば、三角形や五角形とされるものであっても良いし、印刷表示されるキャラクタの外形に沿った形状とされるものであっても構わない。
また、取付け部1Bが設けられる位置に関しては、本体1Aの上方だけでなく、左右の辺の何れか一方に設けることもできるし、上下の辺または左右の辺に一組設けて本体1Aの両側で取り付けるようにすることもできる。
【産業上の利用可能性】
【００１５】
ジャングルジムを分解することなく着脱することのできるジャングルジム装飾シートを提供することができる。
【図面の簡単な説明】
【００１６】
【図１】第一実施例に係るジャングルジム装飾シート１の外観を示す外観図である。
【図２】本実施例に係るジャングルジム装飾シート１の使用に関し、上図(A)は取付け状態を、下図(B)は取付け後の状態をそれぞれ示している。
【図３】ジャングルジム装飾シート１を取り付けたジャングルジムの外観を示す図である。
【図４】第二実施例に係るジャングルジム装飾シートの外観を示す図である。
【図５】従来のジャングルジム装飾シートの構成を示す図である。
【符号の説明】
【００１７】
１   ジャングルジム装飾シート
1A   本体
1B   取付け部
2a   ホック
2b   ホック
2c   面ファスナー
2d   面ファスナー
３   絵柄
【図１】
0003108496.tif 000003
【図２】
0003108496.tif 000004
【図３】
0003108496.tif 000005
【図４】
0003108496.tif 000006
【図５】
0003108496.tif 000007